(57)【要約】【課題】互いに異なる形状の嵌合部分を有する２種類のプラグコネクタに対する接続の互換性を有しながらも嵌合軸方向の長さの縮小化を図ることができるレセプタクルコネクタを提供する。【解決手段】レセプタクルコンタクト列Ａの複数のレセプタクルコンタクト１４の接点部とレセプタクルコンタクト列Ｂの複数のレセプタクルコンタクト１５の接点部は互いに反対方向を向き、第１の嵌合部分を有するプラグコネクタが嵌合するときにはレセプタクルコンタクト列Ａの複数の接点部およびレセプタクルコンタクト列Ｂの複数の接点部が第１の嵌合部分を有するプラグコネクタに接続され、第２の嵌合部分を有するプラグコネクタが嵌合するときにはレセプタクルコンタクト列Ａの複数の接点部が第２の嵌合部分を有するプラグコネクタに接続される。【選択図】図３
2015146308.tif 000002
【特許請求の範囲】
【請求項１】
第１の嵌合部分を有するプラグコネクタと前記第１の嵌合部分とは異なる形状の第２の嵌合部分を有するプラグコネクタのいずれに対しても同一の嵌合軸に沿って嵌合するレセプタクルコネクタにおいて、
前記第１の嵌合部分を収容するための第１の収容部と前記第２の嵌合部分を収容するための第２の収容部とが互いに少なくとも一部を重複するように形成されたレセプタクルシェルと、
それぞれ前記レセプタクルシェルの前記第１の収容部と前記第２の収容部とが重複する領域内に配列されると共に複数の接点部を有するレセプタクルコンタクト列Ａおよびレセプタクルコンタクト列Ｂと、
を備え、前記レセプタクルコンタクト列Ａの複数の接点部と前記レセプタクルコンタクト列Ｂの複数の接点部は互いに反対方向を向き、前記第１の嵌合部分を有するプラグコネクタが嵌合するときには前記レセプタクルコンタクト列Ａの複数の接点部および前記レセプタクルコンタクト列Ｂの複数の接点部のうち少なくとも前記レセプタクルコンタクト列Ｂの複数の接点部が前記第１の嵌合部分を有するプラグコネクタに接続され、前記第２の嵌合部分を有するプラグコネクタが嵌合するときには前記レセプタクルコンタクト列Ａの複数の接点部が前記第２の嵌合部分を有するプラグコネクタに接続されることを特徴とするレセプタクルコネクタ。
【請求項２】
前記第１の嵌合部分を有するプラグコネクタが嵌合するときに、前記レセプタクルコンタクト列Ａの複数の接点部および前記レセプタクルコンタクト列Ｂの複数の接点部が前記第１の嵌合部分を有するプラグコネクタに接続される請求項１に記載のレセプタクルコネクタ。
【請求項３】
前記レセプタクルコンタクト列Ａは、前記嵌合軸に直交する方向に配列され且つ規格化されたデータバスの信号および電源を接続するための複数のレセプタクルコンタクトからなり、
前記レセプタクルコンタクト列Ｂは、前記嵌合軸に直交すると共に前記レセプタクルコンタクト列Ａと平行な方向に配列され且つ前記規格化されたデータバス以外の信号または信号および電源を接続するための複数のレセプタクルコンタクトからなる請求項１または２に記載のレセプタクルコネクタ。
【請求項４】
前記規格化されたデータバスは、マイクロ・ユニバーサル・シリアル・バスである請求項３に記載のレセプタクルコネクタ。
【請求項５】
前記レセプタクルコンタクト列Ａおよび前記レセプタクルコンタクト列Ｂは、それぞれの配列方向に対して直交する方向に所定の間隔を隔てて重なるように配置され、
前記レセプタクルコンタクト列Ａの複数の接点部および前記レセプタクルコンタクト列Ｂの複数の接点部は、互いに前記嵌合軸の方向における同じ位置に配置されている請求項１〜４のいずれか一項に記載のレセプタクルコネクタ。
【請求項６】
前記レセプタクルシェルは、前記レセプタクルコンタクト列Ｂに対向する部分が前記複数のレセプタクルコンタクトの配列方向に対して直交する方向に膨らむ凸部を有し、前記凸部内に前記第１の収容部の一部が形成されている請求項５に記載のレセプタクルコネクタ。
【請求項７】
前記レセプタクルシェルは、嵌合状態にある前記第１の嵌合部分を有するプラグコネクタまたは前記第２の嵌合部分を有するプラグコネクタのロック部材を保持するための一対の開口部を有し、前記凸部は前記一対の開口部の間に形成されている請求項６に記載のレセプタクルコネクタ。
【請求項８】
前記レセプタクルシェルの内部に配置されると共に前記第１の収容部と前記第２の収容部とが重複する領域内で前記嵌合軸の方向に延び且つ互いに反対方向を向いた一対の表面を有する舌状部が形成されたレセプタクルインシュレータを備え、
前記レセプタクルコンタクト列Ａおよび前記レセプタクルコンタクト列Ｂは、前記レセプタクルインシュレータにより保持され、前記レセプタクルコンタクト列Ａの複数の接点部は、前記舌状部の前記一対の表面のうちの一方の上に配置され、前記レセプタクルコンタクト列Ｂの複数の接点部は、前記舌状部の前記一対の表面のうちの他方の上に配置されている請求項１〜７のいずれか一項に記載のレセプタクルコネクタ。
【請求項９】
前記レセプタクルコンタクト列Ａおよび前記レセプタクルコンタクト列Ｂは、それぞれ前記レセプタクルインシュレータの背部から突出する複数の基板実装部を有し、前記レセプタクルコンタクト列Ａの複数の基板実装部と前記レセプタクルコンタクト列Ｂの複数の基板実装部は、互いに前記嵌合軸の方向にずれた位置に配置されている請求項８に記載のレセプタクルコネクタ。
【請求項１０】
請求項１〜９のいずれか一項に記載のレセプタクルコネクタの前記第１の収容部に収容される前記第１の嵌合部分と、
前記レセプタクルコンタクト列Ａに対応したプラグコンタクト列Ｃおよび前記レセプタクルコンタクト列Ｂに対応したプラグコンタクト列Ｄと
を備え、前記プラグコンタクト列Ｃの複数の接点部と前記プラグコンタクト列Ｄの複数の接点部は互いに対向して配置され、
前記レセプタクルコネクタに嵌合したときに前記プラグコンタクト列Ｃの複数の接点部が前記レセプタクルコンタクト列Ａの複数の接点部に接続されると共に前記プラグコンタクト列Ｄの複数の接点部が前記レセプタクルコンタクト列Ｂの複数の接点部に接続されることを特徴とするプラグコネクタ。
【請求項１１】
前記プラグコンタクト列Ｃおよび前記プラグコンタクト列Ｄは、それぞれの配列方向に対して直交する方向に所定の間隔を隔てて重なるように配置され、
前記プラグコンタクト列Ｃの複数の接点部および前記プラグコンタクト列Ｄの複数の接点部は、互いに前記嵌合軸の方向における同じ位置に配置されている請求項１０に記載のプラグコネクタ。
【請求項１２】
前記プラグコンタクト列Ｃおよび前記プラグコンタクト列Ｄを保持するプラグインシュレータを備え、
前記プラグコンタクト列Ｃおよび前記プラグコンタクト列Ｄを構成する複数のプラグコンタクトは、それぞれ前記接点部と前記プラグインシュレータに保持される保持部とが前記プラグコンタクト列Ｃおよび前記プラグコンタクト列Ｄの配列方向に互いに偏心している請求項１１に記載のプラグコネクタ。
【請求項１３】
請求項１〜９のいずれか一項に記載のレセプタクルコネクタと、
請求項１０〜１２のいずれか一項に記載のプラグコネクタからなる第１のプラグコネクタと、
請求項１〜９のいずれか一項に記載のレセプタクルコネクタの前記第２の収容部に収容される前記第２の嵌合部分と前記レセプタクルコンタクト列Ａに対応したプラグコンタクト列Ｅとを備えると共に前記レセプタクルコネクタに嵌合したときに前記プラグコンタクト列Ｅの複数の接点部が前記レセプタクルコンタクト列Ａの複数の接点部に接続される第２のプラグコネクタと
を備え、前記第１のプラグコネクタと前記第２のプラグコネクタのうちの一方が前記レセプタクルコネクタに嵌合することを特徴とするコネクタ組立体。
【発明の詳細な説明】
【技術分野】
【０００１】
この発明は、レセプタクルコネクタに係り、特に、第１の嵌合部分を有するプラグコネクタと第１の嵌合部分とは異なる形状の第２の嵌合部分を有するプラグコネクタのいずれに対しても同一の嵌合軸に沿って嵌合するレセプタクルコネクタに関する。
また、この発明は、レセプタクルコネクタに嵌合するプラグコネクタにも関している。
さらに、この発明は、レセプタクルコネクタとプラグコネクタからなるコネクタ組立体にも関するものである。
【背景技術】
【０００２】
近年の携帯機器、情報機器等の電子機器の小型化および高密度化に伴い、外部機器との間で信号および電源の授受を行うためのコネクタに対しても小型化が要求されており、また、接続の互換性を確保するために、マイクロ・ユニバーサル・シリアル・バス（μＵＳＢ）等の規格化されたコネクタが多く使用されている。
このような電子機器において、機能拡張等を目的として、μＵＳＢ以外の信号および電源の授受がさらに望まれる場合には、μＵＳＢコネクタの他にμＵＳＢ以外の小型コネクタを装備する必要があった。
ところが、２つのコネクタを実装するには、それだけの大きな実装スペースを要し、部品点数が増えることからコストも嵩むこととなる。
そこで、μＵＳＢのプラグコネクタに対してもμＵＳＢ以外のプラグコネクタに対しても嵌合し得るレセプタクルコネクタを電子機器に装備することが望まれている。
【０００３】
このように、２種類のプラグコネクタに対し接続の互換性を有するレセプタクルコネクタとして、例えば、特許文献１には、図２３に示されるようなレセプタクルコネクタ１が開示されている。
レセプタクルコネクタ１は、シェル２により囲まれたインシュレータ３に、ユニバーサル・シリアル・バス（ＵＳＢ）用のレセプタクルコンタクト列４とＵＳＢ以外のレセプタクルコンタクト列５が互いに異なる高さに保持された構造を有している。ＵＳＢ用のレセプタクルコンタクト列４を構成する複数のコンタクトは、それぞれ、レセプタクルコネクタ１の嵌合軸Ｌの方向に沿って延び、シェル２の内部に形成されたプラグ収容空間６に露出する接点部７を有している。同様に、ＵＳＢ以外のレセプタクルコンタクト列５を構成する複数のコンタクトも、それぞれ、レセプタクルコネクタ１の嵌合軸Ｌの方向に沿って延び、プラグ収容空間６に露出する接点部８を有している。ＵＳＢ用のレセプタクルコンタクト列４の各コンタクトの接点部７と、ＵＳＢ以外のレセプタクルコンタクト列５の各コンタクトの接点部８は、互いに嵌合軸Ｌの方向に対して異なる位置に配置されると共に互いに同一の方向、すなわち、図２３において下方を向いている。
【０００４】
レセプタクルコネクタ１のプラグ収容空間６にＵＳＢ用のプラグコネクタの嵌合部分を挿入したときには、プラグコネクタの複数のプラグコンタクトの接点部が、それぞれ、ＵＳＢ用のレセプタクルコンタクト列４の対応するコンタクトの接点部７に接触することで、ＵＳＢ用のプラグコネクタがレセプタクルコネクタ１に接続される。一方、ＵＳＢ以外のプラグコネクタの嵌合部分をプラグ収容空間６に挿入したときには、プラグコネクタの複数のプラグコンタクトの接点部が、それぞれ、ＵＳＢ以外のレセプタクルコンタクト列５の対応するコンタクトの接点部８に接触することで、ＵＳＢ以外のプラグコネクタがレセプタクルコネクタ１に接続される。
このように、レセプタクルコネクタ１は、ＵＳＢ用のプラグコネクタとＵＳＢ以外のプラグコネクタのいずれに対しても嵌合可能となる。
【先行技術文献】
【特許文献】
【０００５】
【特許文献１】特開２００８−３０１４９２号公報
【発明の概要】
【発明が解決しようとする課題】
【０００６】
しかしながら、上述した特許文献１のレセプタクルコネクタ１では、ＵＳＢ用のレセプタクルコンタクト列４の各コンタクトの接点部７とＵＳＢ以外のレセプタクルコンタクト列５の各コンタクトの接点部８を、互いに嵌合軸Ｌの方向に対して異なる位置で同一の方向を向くように配置することにより、ＵＳＢ用のプラグコネクタとＵＳＢ以外のプラグコネクタに対する接続の互換性を確保しているので、必然的にレセプタクルコネクタ１の嵌合軸Ｌ方向の長さが長くなるという問題があった。
特に、近年の携帯機器および情報機器においては、薄型化と共に表示画面の大型化を追求するため、例えば、図２４に示されるように、レセプタクルコネクタ９は、嵌合軸Ｌを表示画面１０と平行な方向に向けて表示画面１０の外側に設置されることが多く、嵌合軸Ｌ方向の長さが短いレセプタクルコネクタが望まれている。
【０００７】
この発明は、このような従来の問題点を解消するためになされたもので、互いに異なる形状の嵌合部分を有する２種類のプラグコネクタに対する接続の互換性を有しながらも嵌合軸方向の長さの縮小化を図ることができるレセプタクルコネクタを提供することを目的とする。
また、この発明は、そのようなレセプタクルコネクタに嵌合するプラグコネクタを提供することも目的とする。
さらに、この発明は、これらのレセプタクルコネクタおよびプラグコネクタからなるコネクタ組立体を提供することも目的としている。
【課題を解決するための手段】
【０００８】
第１の発明に係るレセプタクルコネクタは、第１の嵌合部分を有するプラグコネクタと第１の嵌合部分とは異なる形状の第２の嵌合部分を有するプラグコネクタのいずれに対しても同一の嵌合軸に沿って嵌合するレセプタクルコネクタにおいて、第１の嵌合部分を収容するための第１の収容部と第２の嵌合部分を収容するための第２の収容部とが互いに少なくとも一部を重複するように形成されたレセプタクルシェルと、それぞれレセプタクルシェルの第１の収容部と第２の収容部とが重複する領域内に配列されると共に複数の接点部を有するレセプタクルコンタクト列Ａおよびレセプタクルコンタクト列Ｂとを備え、レセプタクルコンタクト列Ａの複数の接点部とレセプタクルコンタクト列Ｂの複数の接点部は互いに反対方向を向き、第１の嵌合部分を有するプラグコネクタが嵌合するときにはレセプタクルコンタクト列Ａの複数の接点部およびレセプタクルコンタクト列Ｂの複数の接点部のうち少なくともレセプタクルコンタクト列Ｂの複数の接点部が第１の嵌合部分を有するプラグコネクタに接続され、第２の嵌合部分を有するプラグコネクタが嵌合するときにはレセプタクルコンタクト列Ａの複数の接点部が第２の嵌合部分を有するプラグコネクタに接続されるものである。
【０００９】
第１の嵌合部分を有するプラグコネクタが嵌合するときに、レセプタクルコンタクト列Ａの複数の接点部およびレセプタクルコンタクト列Ｂの複数の接点部が第１の嵌合部分を有するプラグコネクタに接続されるように構成することができる。
レセプタクルコンタクト列Ａは、嵌合軸に直交する方向に配列され且つ規格化されたデータバスの信号および電源を接続するための複数のレセプタクルコンタクトからなり、レセプタクルコンタクト列Ｂは、嵌合軸に直交すると共にレセプタクルコンタクト列Ａと平行な方向に配列され且つ規格化されたデータバス以外の信号および電源を接続するための複数のレセプタクルコンタクトからなることが好ましい。
規格化されたデータバスとしては、マイクロ・ユニバーサル・シリアル・バスを用いることができる。
【００１０】
レセプタクルコンタクト列Ａおよびレセプタクルコンタクト列Ｂは、それぞれの配列方向に対して直交する方向に所定の間隔を隔てて重なるように配置され、レセプタクルコンタクト列Ａの複数の接点部およびレセプタクルコンタクト列Ｂの複数の接点部は、互いに嵌合軸の方向における同じ位置に配置されることが好ましい。
レセプタクルシェルは、レセプタクルコンタクト列Ｂに対向する部分が複数のレセプタクルコンタクトの配列方向に対して直交する方向に膨らむ凸部を有し、この凸部内に第１の収容部の一部が形成されるように構成することができる。
好ましくは、レセプタクルシェルは、嵌合状態にある第１の嵌合部分を有するプラグコネクタまたは第２の嵌合部分を有するプラグコネクタのロック部材を保持するための一対の開口部を有し、凸部は一対の開口部の間に形成されている。
【００１１】
レセプタクルシェルの内部に配置されると共に第１の収容部と第２の収容部とが重複する領域内で嵌合軸の方向に延び且つ互いに反対方向を向いた一対の表面を有する舌状部が形成されたレセプタクルインシュレータを備え、レセプタクルコンタクト列Ａおよびレセプタクルコンタクト列Ｂは、レセプタクルインシュレータにより保持され、レセプタクルコンタクト列Ａの複数の接点部は、舌状部の一対の表面のうちの一方の上に配置され、レセプタクルコンタクト列Ｂの複数の接点部は、舌状部の一対の表面のうちの他方の上に配置されることが好ましい。
さらに、レセプタクルコンタクト列Ａおよびレセプタクルコンタクト列Ｂは、それぞれレセプタクルインシュレータの背部から突出する複数の基板実装部を有し、レセプタクルコンタクト列Ａの複数の基板実装部とレセプタクルコンタクト列Ｂの複数の基板実装部は、互いに嵌合軸の方向にずれた位置に配置されることが好ましい。
【００１２】
第２の発明に係るプラグコネクタは、上記の第１の発明に係るレセプタクルコネクタの第１の収容部に収容される第１の嵌合部分と、レセプタクルコンタクト列Ａに対応したプラグコンタクト列Ｃおよびレセプタクルコンタクト列Ｂに対応したプラグコンタクト列Ｄとを備え、プラグコンタクト列Ｃの複数の接点部とプラグコンタクト列Ｄの複数の接点部は互いに対向して配置され、レセプタクルコネクタに嵌合したときにプラグコンタクト列Ｃの複数の接点部がレセプタクルコンタクト列Ａの複数の接点部に接続されると共にプラグコンタクト列Ｄの複数の接点部がレセプタクルコンタクト列Ｂの複数の接点部に接続されるものである。
【００１３】
プラグコンタクト列Ｃおよびプラグコンタクト列Ｄは、それぞれの配列方向に対して直交する方向に所定の間隔を隔てて重なるように配置され、プラグコンタクト列Ｃの複数の接点部およびプラグコンタクト列Ｄの複数の接点部は、互いに嵌合軸の方向における同じ位置に配置されていることが好ましい。
また、プラグコンタクト列Ｃおよびプラグコンタクト列Ｄを保持するプラグインシュレータを備え、プラグコンタクト列Ｃおよびプラグコンタクト列Ｄを構成する複数のプラグコンタクトは、それぞれ接点部とプラグインシュレータに保持される保持部とがプラグコンタクト列Ｃおよびプラグコンタクト列Ｄの配列方向に互いに偏心していることが好ましい。
【００１４】
第３の発明に係るコネクタ組立体は、上記の第１の発明に係るレセプタクルコネクタと、上記の第２の発明に係るプラグコネクタからなる第１のプラグコネクタと、レセプタクルコネクタの第２の収容部に収容される第２の嵌合部分とレセプタクルコンタクト列Ａに対応したプラグコンタクト列Ｅとを備えると共にレセプタクルコネクタに嵌合したときにプラグコンタクト列Ｅの複数の接点部がレセプタクルコンタクト列Ａの複数の接点部に接続される第２のプラグコネクタとを備え、第１のプラグコネクタと第２のプラグコネクタのうちの一方がレセプタクルコネクタに嵌合するものである。
【発明の効果】
【００１５】
この発明によれば、レセプタクルコンタクト列Ａの複数の接点部とレセプタクルコンタクト列Ｂの複数の接点部が互いに反対方向を向き、第１の嵌合部分を有するプラグコネクタが嵌合するときにはレセプタクルコンタクト列Ａの複数の接点部およびレセプタクルコンタクト列Ｂの複数の接点部のうち少なくともレセプタクルコンタクト列Ｂの複数の接点部が第１の嵌合部分を有するプラグコネクタに接続され、第２の嵌合部分を有するプラグコネクタが嵌合するときにはレセプタクルコンタクト列Ａの複数の接点部が第２の嵌合部分を有するプラグコネクタに接続されるので、互いに異なる形状の嵌合部分を有する２種類のプラグコネクタに対する接続の互換性を有しながらも嵌合軸方向の長さの縮小化を図ることが可能となる。
【図面の簡単な説明】
【００１６】
【図１】この発明の実施の形態に係るレセプタクルコネクタおよび第１のプラグコネクタの嵌合前の状態を示す斜視図である。
【図２】レセプタクルコネクタを示し、（Ａ）は正面側の斜め上方から見た斜視図、（Ｂ）は背面側の斜め上方から見た斜視図、（Ｃ）は正面側の斜め下方から見た斜視図、（Ｄ）は正面図、（Ｅ）は平面図、（Ｆ）は底面図、（Ｇ）は側面図、（Ｈ）は背面図である。
【図３】レセプタクルコネクタの断面図である。
【図４】レセプタクルコネクタに用いられた組み立て前のレセプタクルシェルを示し、（Ａ）は正面側から見た斜視図、（Ｂ）は背面側から見た斜視図である。
【図５】レセプタクルコネクタに用いられたレセプタクルインシュレータを示し、（Ａ）は正面側から見た斜視図、（Ｂ）は背面側から見た斜視図である。
【図６】レセプタクルコネクタに用いられたレセプタクルコンタクト列Ａを示し、（Ａ）は正面側から見た斜視図、（Ｂ）は背面側から見た斜視図である。
【図７】レセプタクルコネクタに用いられたレセプタクルコンタクト列Ｂを示し、（Ａ）は正面側から見た斜視図、（Ｂ）は背面側から見た斜視図である。
【図８】レセプタクルコンタクト列Ａおよびレセプタクルコンタクト列Ｂを保持するレセプタクルインシュレータを示し、（Ａ）は平面図、（Ｂ）は底面図、（Ｃ）は正面図である。
【図９】レセプタクルコネクタの分解図である。
【図１０】レセプタクルコネクタを示し、（Ａ）は第１の収容部を示す正面図、（Ｂ）は第２の収容部を示す正面図である。
【図１１】レセプタクルコネクタと嵌合する第１のプラグコネクタを示し、（Ａ）は背面側から見た斜視図、（Ｂ）は正面側から見た斜視図、（Ｃ）は平面図、（Ｄ）は底面図、（Ｅ）は正面図、（Ｆ）は側面図、（Ｇ）は背面図である。
【図１２】図１１（Ｅ）のＩ−Ｉ線断面図である。
【図１３】（Ａ）は図１１（Ｆ）のＩＩ−ＩＩ線断面図、（Ｂ）は図１１（Ｆ）のＩＩＩ−ＩＩＩ線断面図である。
【図１４】第１のプラグコネクタに用いられた組み立て前のプラグシェルを示し、（Ａ）は背面側から見た斜視図、（Ｂ）は正面側から見た斜視図である。
【図１５】第１のプラグコネクタに用いられたプラグインシュレータを示し、（Ａ）は背面側から見た斜視図、（Ｂ）は正面側から見た斜視図である。
【図１６】第１のプラグコネクタに用いられたプラグコンタクト列Ｃを示し、（Ａ）は背面側から見た斜視図、（Ｂ）は正面側から見た斜視図である。
【図１７】第１のプラグコネクタに用いられたプラグコンタクト列Ｄを示し、（Ａ）は背面側から見た斜視図、（Ｂ）は正面側から見た斜視図である。
【図１８】第１のプラグコネクタに用いられたロック部材を示し、（Ａ）は背面側から見た斜視図、（Ｂ）は正面側から見た斜視図である。
【図１９】第１のプラグコネクタの分解図である。
【図２０】レセプタクルコネクタに第１のプラグコネクタを嵌合した状態を示す断面図である。
【図２１】レセプタクルコネクタと嵌合する第２のプラグコネクタを示し、（Ａ）は斜視図、（Ｂ）は正面図、（Ｃ）は平面図、（Ｄ）は側面図である。
【図２２】第２のプラグコネクタが嵌合した状態のレセプタクルコネクタを示す断面図である。
【図２３】従来のレセプタクルコネクタを示す断面図である。
【図２４】携帯機器を示す平面図である。
【発明を実施するための形態】
【００１７】
以下、この発明の実施の形態を添付図面に基づいて説明する。
図１に、実施の形態に係るレセプタクルコネクタ１１および第１のプラグコネクタ２１を示す。レセプタクルコネクタ１１は、携帯機器および情報機器等の電子機器内における回路基板Ｐ１に固定され、第１のプラグコネクタ２１は、他の回路基板Ｐ２に固定されている。第１のプラグコネクタ２１をレセプタクルコネクタ１１に位置決めし、嵌合軸Ｌに沿って押し込むことにより、第１のプラグコネクタ２１がレセプタクルコネクタ１１に嵌合する。
ここで、回路基板Ｐ１およびＰ２は、互いに平行な平面上に位置するものとし、便宜上、回路基板Ｐ１の表面をＸＹ面、第１のプラグコネクタ２１からレセプタクルコネクタ１１に向けて嵌合軸Ｌが延びる方向を＋Ｙ方向、ＸＹ面に対して垂直な方向をＺ方向と呼ぶものとする。
【００１８】
図２（Ａ）〜（Ｈ）に示されるように、レセプタクルコネクタ１１は、レセプタクルシェル１２を有し、レセプタクルシェル１２の内部にレセプタクルインシュレータ１３が配置され、レセプタクルインシュレータ１３によりレセプタクルコンタクト列Ａおよびレセプタクルコンタクト列Ｂが保持されている。
レセプタクルコンタクト列Ａは、規格化された汎用のマイクロ・ユニバーサル・シリアル・バス（μＵＳＢ）に対応したコンタクト列であり、レセプタクルコンタクト列Ｂは、μＵＳＢ以外の信号または信号および電源の授受を行うためのコンタクト列である。レセプタクルコンタクト列Ａおよびレセプタクルコンタクト列Ｂは、それぞれ、レセプタクルコネクタ１１の嵌合軸Ｌに沿って延びると共に嵌合軸Ｌに直交する方向に配列された複数のレセプタクルコンタクトから構成され、レセプタクルコンタクト列Ａにおける複数のレセプタクルコンタクトの配列面とレセプタクルコンタクト列Ｂにおける複数のレセプタクルコンタクトの配列面は互いに平行となっている。
【００１９】
レセプタクルシェル１２は、金属材料から形成され、嵌合軸Ｌに直交するＸ方向に扁平で且つ嵌合軸Ｌに沿ったＹ方向の両端、すなわち、正面側と背面側が共に開放された中空の形状を有している。また、レセプタクルシェル１２は、互いにＺ方向に対向する上板部１２ａおよび下板部１２ｂを有しており、下板部１２ｂのＸ方向の中央部に、嵌合軸Ｌに沿って下方に膨らむ凸部１２ｃが形成されている。この凸部１２ｃの存在により、下板部１２ｂは、凸部１２ｃのＸ方向の両側に位置し且つＹ方向に延びる一対の上段部１２ｄと、これら一対の上段部１２ｄの間で上段部１２ｄよりも−Ｚ方向側に位置し且つＹ方向に延びる下段部１２ｅとを有している。
【００２０】
さらに、レセプタクルシェル１２は、下板部１２ｂの上段部１２ｄのＹ方向に延びる側縁から−Ｚ方向に向かって突出する複数の突起部１２ｆと、上板部１２ａの＋Ｙ方向側（背面側）の端部から−Ｚ方向に向かって突出する一対の突起部１２ｇとを有している。下板部１２ｂの上段部１２ｄから突出する突起部１２ｆは、回路基板Ｐ１のスルーホールに挿入されて半田付けされることにより、レセプタクルコネクタ１１を回路基板Ｐ１に固定するためのものであり、上板部１２ａから突出する突起部１２ｇは、レセプタクルシェル１２内に配置されたレセプタクルインシュレータ１３をレセプタクルシェル１２に対して保持するためのものである。
また、レセプタクルシェル１２の下板部１２ｂの一対の上段部１２ｄには、それぞれ、レセプタクルコネクタ１１に嵌合されるプラグコネクタのロック部材を保持するための開口部１２ｈが形成されている。
【００２１】
このようなレセプタクルシェル１２の内部にレセプタクルインシュレータ１３が挿入されている。図３に示されるように、レセプタクルインシュレータ１３は、レセプタクルシェル１２の内部空間のうち＋Ｙ方向側（背面側）の領域を埋め尽くすインシュレータ本体部１３ａを有すると共に、インシュレータ本体部１３ａから嵌合軸Ｌに沿って−Ｙ方向側（正面側）に延びる舌状部１３ｂを有している。舌状部１３ｂは、ＸＹ面上に延びる平板形状でレセプタクルシェル１２の内壁部に接触することはなく、レセプタクルシェル１２内の中心部に位置しており、レセプタクルシェル１２の内部空間のうち−Ｙ方向側（正面側）の領域には、舌状部１３ｂを中心として、プラグコネクタの嵌合部分を収容するための収容空間Ｓが確保されている。
【００２２】
レセプタクルコンタクト列Ａは、それぞれ、嵌合軸Ｌに沿ってＹ方向に延び且つＸ方向に配列された複数のレセプタクルコンタクト１４を有している。同様に、レセプタクルコンタクト列Ｂは、それぞれ、嵌合軸Ｌに沿ってＹ方向に延び且つＸ方向、すなわち、レセプタクルコンタクト列Ａと平行な方向に配列された複数のレセプタクルコンタクト１５を有している。
また、レセプタクルコンタクト列Ａとレセプタクルコンタクト列Ｂは、それぞれの配列方向に対して直交するＺ方向に所定の間隔を隔てて重なるように配置され、レセプタクルコンタクト列Ａの各レセプタクルコンタクト１４の−Ｙ方向端部とレセプタクルコンタクト列Ｂの各レセプタクルコンタクト１５の−Ｙ方向端部は、互いに嵌合軸Ｌに沿ったＹ方向における同じ位置に配置されている。
【００２３】
図４（Ａ）および（Ｂ）に示されるように、レセプタクルシェル１２の上板部１２ａから突出する突起部１２ｇは、レセプタクルインシュレータ１３を組み込む前は、上板部１２ａの端部で屈曲されることなく、上板部１２ａと同一面を形成するように嵌合軸Ｌに沿って延びており、レセプタクルシェル１２の内部にレセプタクルインシュレータ１３が挿入された後に、図２に示したように、−Ｚ方向に延びるように屈曲される。これにより、レセプタクルシェル１２内に配置されたレセプタクルインシュレータ１３がレセプタクルシェル１２に対して保持される。
【００２４】
図５（Ａ）および（Ｂ）に示されるように、レセプタクルインシュレータ１３の舌状部１３ｂは、互いに反対方向を向いた一対の表面、すなわち、＋Ｚ方向を向いた上面１３ｃと−Ｚ方向を向いた下面１３ｄを有し、上面１３ｃにレセプタクルコンタクト列Ａの各レセプタクルコンタクト１４の一部を収容する複数の溝１３ｅが形成され、下面１３ｄにレセプタクルコンタクト列Ｂの各レセプタクルコンタクト１５の一部を収容する複数の溝１３ｆが形成されている。
【００２５】
図６（Ａ）および（Ｂ）に、レセプタクルコンタクト列Ａを示す。レセプタクルコンタクト列Ａの各レセプタクルコンタクト１４は、レセプタクルインシュレータ１３内に埋設されて保持される保持部１４ａと、保持部１４ａの−Ｙ方向側に位置してレセプタクルインシュレータ１３の舌状部１３ｂの溝１３ｅに挿入される接点部１４ｂと、保持部１４ａの＋Ｙ方向側に位置してレセプタクルインシュレータ１３の背部に突出する基板実装部１４ｃとを有している。
同様に、図７（Ａ）および（Ｂ）に、レセプタクルコンタクト列Ｂを示す。レセプタクルコンタクト列Ｂの各レセプタクルコンタクト１５は、レセプタクルインシュレータ１３内に埋設されて保持される保持部１５ａと、保持部１５ａの−Ｙ方向側に位置してレセプタクルインシュレータ１３の舌状部１３ｂの溝１３ｆに挿入される接点部１５ｂと、保持部１５ａの＋Ｙ方向側に位置してレセプタクルインシュレータ１３の背部に突出する基板実装部１５ｃとを有している。
【００２６】
レセプタクルコンタクト列Ａおよびレセプタクルコンタクト列Ｂは、例えば、樹脂を用いてインサート成形することにより、図８（Ａ）〜（Ｃ）に示されるように、レセプタクルインシュレータ１３に組み込むことができる。レセプタクルインシュレータ１３の舌状部１３ｂの一対の表面のうち一方の表面である上面１３ｃに形成された複数の溝１３ｅにレセプタクルコンタクト列Ａの複数のレセプタクルコンタクト１４の接点部１４ｂが挿入され、他方の表面である下面１３ｄに形成された複数の溝１３ｆにレセプタクルコンタクト列Ｂの複数のレセプタクルコンタクト１５の接点部１５ｂが挿入されている。
また、図８（Ｂ）に示されるように、レセプタクルコンタクト列Ａの各レセプタクルコンタクト１４の基板実装部１４ｃとレセプタクルコンタクト列Ｂの各レセプタクルコンタクト１５の基板実装部１５ｃは、互いにＹ方向にずれた位置に配置されており、これにより、レセプタクルコネクタ１１を回路基板Ｐ１に実装する際に、これら基板実装部１４ｃと基板実装部１５ｃを互いの間隔が十分に確保された状態で回路基板Ｐ１の配線パターンに半田付けすることができるように構成されている。
【００２７】
そして、レセプタクルコンタクト列Ａおよびレセプタクルコンタクト列Ｂが組み込まれたレセプタクルインシュレータ１３を、図９に示されるように、嵌合軸Ｌに沿ってレセプタクルシェル１２の＋Ｙ方向側端部からレセプタクルシェル１２内に挿入し、レセプタクルシェル１２の一対の突起部１２ｇを−Ｚ方向に向けて屈曲させてレセプタクルインシュレータ１３をレセプタクルシェル１２に対して保持することにより、レセプタクルコネクタ１１が作製される。
【００２８】
レセプタクルコネクタ１１には、レセプタクルシェル１２の下板部１２ｂに下方に膨らむ凸部１２ｃが形成されているので、レセプタクルシェル１２の正面側の内部に確保されている収容空間Ｓ内に、図１０（Ａ）に斜線部で示されるような第１の収容部Ｓ１と、図１０（Ｂ）に斜線部で示されるような第２の収容部Ｓ２とが、互いに少なくとも一部を重複するように形成されている。第１の収容部Ｓ１は、上板部１２ａと下板部１２ｂの一対の上段部１２ｄおよび下段部１２ｅとにより規定され、第２の収容部Ｓ２は、上板部１２ａと下板部１２ｂの一対の上段部１２ｄとにより規定されている。
第１の収容部Ｓ１および第２の収容部Ｓ２は、互いに重複する領域内にレセプタクルインシュレータ１３の舌状部１３ｂが位置するように形成されている。
【００２９】
次に、レセプタクルコネクタ１１の第１の収容部Ｓ１に嵌合し得る、第１のプラグコネクタ２１の構成を図１１（Ａ）〜（Ｇ）に示す。この第１のプラグコネクタ２１は、汎用のコネクタではなく、レセプタクルコネクタ１１のみに嵌合する専用のプラグコネクタである。
第１のプラグコネクタ２１は、プラグシェル２２を有し、プラグシェル２２の内部にプラグインシュレータ２３が配置され、プラグインシュレータ２３によりプラグコンタクト列Ｃおよびプラグコンタクト列Ｄが保持されている。
【００３０】
プラグコンタクト列Ｃは、μＵＳＢ用の信号および電源の授受を行うためのものであり、プラグコンタクト列Ｄは、μＵＳＢ以外の信号または信号および電源の授受を行うためのものである。これらプラグコンタクト列Ｃおよびプラグコンタクト列Ｄは、それぞれ、第１のプラグコネクタ２１の嵌合軸Ｌに沿って延びると共に嵌合軸Ｌに直交する方向に配列された複数のプラグコンタクトから構成され、プラグコンタクト列Ｃにおける複数のプラグコンタクトの配列面とプラグコンタクト列Ｄにおける複数のプラグコンタクトの配列面は互いに平行となっている。
第１のプラグコネクタ２１の＋Ｙ方向側（正面側）の端部には、レセプタクルコネクタ１１の第１の収容部Ｓ１に嵌合する第１の嵌合部分Ｆ１が形成されている。
【００３１】
プラグシェル２２は、金属材料から形成されており、第１の嵌合部分Ｆ１におけるプラグシェル２２は、嵌合軸Ｌに直交するＸ方向に扁平で且つ嵌合軸Ｌに沿ったＹ方向の両端が共に開放された中空の形状を有している。第１の嵌合部分Ｆ１におけるプラグシェル２２は、互いにＺ方向に対向する上板部２２ａおよび下板部２２ｂを有しており、下板部２２ｂのＸ方向の中央部に、嵌合軸Ｌに沿って下方に膨らむ凸部２２ｃが形成されている。この凸部２２ｃの存在により、下板部２２ｂは、凸部２２ｃのＸ方向の両側に位置し且つＹ方向に延びる一対の上段部２２ｄと、これら一対の上段部２２ｄの間で上段部２２ｄよりも下方に位置し且つＹ方向に延びる下段部２２ｅとを有している。
【００３２】
さらに、プラグシェル２２の−Ｙ方向側（背面側）の端部には、プラグシェル２２の下端から−Ｚ方向に向かって突出する４本の突起部２２ｆとプラグシェル２２の上端からプラグインシュレータ２３の−Ｙ方向端部を巻き込むように屈曲されて延びる一対の突起部２２ｇが形成されている。突起部２２ｆは、回路基板Ｐ２のスルーホールに挿入されて半田付けされることにより、第１のプラグコネクタ２１を回路基板Ｐ２に固定するためのものであり、突起部２２ｇは、プラグシェル２２内に配置されたプラグインシュレータ２３をプラグシェル２２に対して保持するためのものである。
また、第１のプラグコネクタ２１の第１の嵌合部分Ｆ１内には、一対のロック部材２６が配置されており、これらのロック部材２６のロック部２６ａが、プラグシェル２２の下板部２２ｂの一対の上段部２２ｄに形成された一対の開口部２２ｈを通して−Ｚ方向（下方）に突出している。
【００３３】
このようなプラグシェル２２の内部にプラグインシュレータ２３が挿入されている。図１２および図１３（Ａ）、（Ｂ）に示されるように、プラグインシュレータ２３は、プラグシェル２２の内部空間の−Ｙ方向端部から＋Ｙ方向端部まで延びており、プラグコンタクト列Ｃおよびプラグコンタクト列Ｄを保持している。
【００３４】
プラグコンタクト列Ｃは、それぞれ、嵌合軸Ｌに沿ってＹ方向に延び且つＸ方向に配列された複数のプラグコンタクト２４を有している。同様に、プラグコンタクト列Ｄは、それぞれ、嵌合軸Ｌに沿ってＹ方向に延び且つＸ方向、すなわち、プラグコンタクト列Ｃと平行な方向に配列された複数のプラグコンタクト２５を有している。
また、プラグコンタクト列Ｃとプラグコンタクト列Ｄは、それぞれの配列方向に対して直交するＺ方向に所定の間隔を隔てて重なるように配置され、プラグコンタクト列Ｃの各プラグコンタクト２４の＋Ｙ方向端部とプラグコンタクト列Ｄの各プラグコンタクト２５の＋Ｙ方向端部は、互いにＹ方向における同じ位置に配置されている。
【００３５】
図１４（Ａ）および（Ｂ）に示されるように、プラグシェル２２の−Ｙ方向端部の上端から延びる突起部２２ｇは、プラグインシュレータ２３を組み込む前は、屈曲されることなく、＋Ｚ方向（上方）に延びており、プラグシェル２２の内部にプラグインシュレータ２３が挿入された後に、プラグインシュレータ２３の−Ｙ方向端部を巻き込むように屈曲される。これにより、プラグシェル２２内に配置されたプラグインシュレータ２３がプラグシェル２２に対して保持される。
図１５（Ａ）および（Ｂ）に示されるように、第１の嵌合部分Ｆ１に対応するプラグインシュレータ２３の＋Ｙ方向端部には、プラグコンタクト列Ｃの複数のプラグコンタクト２４の一部を収容する複数の溝２３ａとプラグコンタクト列Ｄの複数のプラグコンタクト２５の一部を収容する複数の溝２３ｂが形成されている。
【００３６】
図１６（Ａ）および（Ｂ）に、プラグコンタクト列Ｃを示す。プラグコンタクト列Ｃの各プラグコンタクト２４は、プラグインシュレータ２３内に埋設されて保持される保持部２４ａと、保持部２４ａから＋Ｙ方向に延びる伸張部２４ｂと、伸張部２４ｂの＋Ｙ方向端部において−Ｚ方向に突出し且つプラグインシュレータ２３の溝２３ａに挿入される接点部２４ｃと、保持部２４ａの−Ｙ方向側に位置してプラグインシュレータ２３の背部に突出する基板実装部２４ｄとを有している。
また、それぞれのプラグコンタクト２４の伸張部２４ｂおよび接点部２４ｃは、保持部２４ａおよび基板実装部２４ｄに対してプラグコンタクト列Ｃの配列方向であるＸ方向に偏心している。
【００３７】
同様に、図１７（Ａ）および（Ｂ）に、プラグコンタクト列Ｄを示す。プラグコンタクト列Ｄの各プラグコンタクト２５は、プラグインシュレータ２３内に埋設されて保持される保持部２５ａと、保持部２５ａに連結されて＋Ｙ方向に延びる伸張部２５ｂと、伸張部２５ｂの＋Ｙ方向端部において＋Ｚ方向に突出し且つプラグインシュレータ２３の溝２３ｂに挿入される接点部２５ｃと、保持部２５ａの−Ｙ方向側に位置してプラグインシュレータ２３の背部に突出する基板実装部２５ｄを有している。
また、それぞれのプラグコンタクト２５の伸張部２５ｂ、接点部２５ｃおよび基板実装部２５ｄは、保持部２５ａに対してプラグコンタクト列Ｄの配列方向であるＸ方向に偏心している。
【００３８】
このようにプラグコンタクト列Ｃの各プラグコンタクト２４およびプラグコンタクト列Ｄの各プラグコンタクト２５にそれぞれＸ方向に偏心する偏心部分を形成することにより、プラグコンタクト列Ｃの各プラグコンタクト２４の保持部２４ａとプラグコンタクト列Ｄの各プラグコンタクト２５の保持部２５ａがＺ方向に重ならないようにプラグコンタクト列Ｃおよびプラグコンタクト列Ｄを配置しやすくなり、プラグコンタクト列Ｃとプラグコンタクト列Ｄとの間にプラグインシュレータ２３の肉薄の部分が形成されることを回避して、第１のプラグコネクタ２１の強度を確保している。
【００３９】
図１８（Ａ）および（Ｂ）に、ロック部材２６を示す。ロック部材２６は、プラグインシュレータ２３内に埋設されて保持される保持部２６ｂを有し、保持部２６ｂから＋Ｙ方向に伸張部２６ｃが延び、伸張部２６ｃの＋Ｙ方向端部に−Ｚ方向に突出するロック部２６ａが形成されている。ロック部２６ａは、伸張部２６ｃの存在によりバネ性を有してＺ方向に移動可能であり、図１１（Ｄ）〜（Ｆ）に示したように、プラグシェル２２の開口部２２ｈから−Ｚ方向に突出している。
【００４０】
プラグコンタクト列Ｃ、プラグコンタクト列Ｄおよび一対のロック部材２６は、例えば、樹脂を用いてインサート成形することにより、プラグインシュレータ２３に組み込むことができる。プラグインシュレータ２３の複数の溝２３ａにプラグコンタクト列Ｃの複数のプラグコンタクト２４の一部が収容され、複数の溝２３ｂにプラグコンタクト列Ｄの複数のプラグコンタクト２５の一部が収容される。
このとき、図１２に示されるように、プラグコンタクト列Ｃの各プラグコンタクト２４の基板実装部２４ｄとプラグコンタクト列Ｄの各プラグコンタクト２５の基板実装部２５ｄは、互いにＹ方向にずれた位置に配置されており、これにより、第１のプラグコネクタ２１を回路基板Ｐ２に実装する際に、これら基板実装部２４ｄと基板実装部２５ｄを互いの間隔が十分に確保された状態で回路基板Ｐ２の配線パターンに半田付けすることができるように構成されている。
【００４１】
そして、図１９に示されるように、プラグコンタクト列Ｃ、プラグコンタクト列Ｄおよび一対のロック部材２６が組み込まれたプラグインシュレータ２３を、嵌合軸Ｌに沿ってプラグシェル２２の−Ｙ方向側端部からプラグシェル２２内に挿入し、プラグインシュレータ２３の−Ｙ方向端部を巻き込むようにプラグシェル２２の一対の突起部２２ｇを屈曲させてプラグインシュレータ２３をプラグシェル２２に対して保持することにより、第１のプラグコネクタ２１が作製される。
【００４２】
このような第１のプラグコネクタ２１の＋Ｙ方向側端部に形成されている第１の嵌合部分Ｆ１は、図１１（Ｅ）に示されるように、嵌合軸Ｌの方向から見たときに、レセプタクルコネクタ１１の第１の収容部Ｓ１に対応した形状を有している。
第１のプラグコネクタ２１の第１の嵌合部分Ｆ１を嵌合軸Ｌに沿ってレセプタクルコネクタ１１の第１の収容部Ｓ１に挿入することにより、第１のプラグコネクタ２１がレセプタクルコネクタ１１に嵌め合わされる。このとき、図２０に示されるように、第１のプラグコネクタ２１のプラグコンタクト列Ｃの先端部がレセプタクルコネクタ１１の舌状部１３ｂの上に位置し、プラグコンタクト列Ｃを構成する複数のプラグコンタクト２４の接点部２４ｃがレセプタクルコネクタ１１の舌状部１３ｂの上面１３ｃに配置されたレセプタクルコンタクト列Ａを構成する複数のレセプタクルコンタクト１４の接点部１４ｂに接触する。同時に、プラグコンタクト列Ｄの先端部がレセプタクルコネクタ１１の舌状部１３ｂの下に位置し、プラグコンタクト列Ｄを構成する複数のプラグコンタクト２５の接点部２５ｃがレセプタクルコネクタ１１の舌状部１３ｂの下面１３ｄに配置されたレセプタクルコンタクト列Ｂを構成する複数のレセプタクルコンタクト１５の接点部１５ｂに接触する。これにより、第１のプラグコネクタ２１のプラグコンタクト列ＣおよびＤとレセプタクルコネクタ１１のレセプタクルコンタクト列ＡおよびＢとの間でそれぞれ電気的導通がなされる。
【００４３】
また、第１のプラグコネクタ２１の第１の嵌合部分Ｆ１をレセプタクルコネクタ１１の第１の収容部Ｓ１に挿入することで、第１のプラグコネクタ２１の一対のロック部材２６のロック部２６ａが、レセプタクルコネクタ１１のレセプタクルシェル１２に形成された一対の開口部１２ｈに挿入され、レセプタクルコネクタ１１と第１のプラグコネクタ２１との嵌合状態がロックされる。なお、ロック部材２６のバネ力に抗して第１のプラグコネクタ２１の第１の嵌合部分Ｆ１をレセプタクルコネクタ１１の第１の収容部Ｓ１から引き抜くことにより、レセプタクルコネクタ１１と第１のプラグコネクタ２１との嵌合状態を解消することができる。
【００４４】
図２１（Ａ）〜（Ｄ）に、レセプタクルコネクタ１１の第２の収容部Ｓ２に嵌合し得る第２のプラグコネクタ３１の構成を示す。この第２のプラグコネクタ３１は、汎用のマイクロ・ユニバーサル・シリアル・バス（μＵＳＢ）用のプラグコネクタであり、回路基板に固定されるものではなく、ケーブル３０の先端に取り付けられ、レセプタクルコネクタ１１の第２の収容部Ｓ２に嵌合される第２の嵌合部分Ｆ２を有している。
第２の嵌合部分Ｆ２は、嵌合軸Ｌの方向から見たときにレセプタクルコネクタ１１の第２の収容部Ｓ２に対応した形状を有するプラグシェル３２と、プラグシェル３２の内部に配置されたプラグインシュレータ３３と、プラグインシュレータ３３により保持されたプラグコンタクト列Ｅを有している。プラグコンタクト列Ｅは、μＵＳＢ用の信号および電源の授受を行うために、複数のプラグコンタクト３４がＸ方向に１列に配列されたものである。
また、第２の嵌合部分Ｆ２内には、一対のロック部材３６が配置されており、これらのロック部材３６のロック部３６ａが、プラグシェル３２の−Ｚ方向を向いた表面に形成されている一対の開口部３２ａを通して−Ｚ方向に突出している。
【００４５】
第２の嵌合部分Ｆ２を嵌合軸Ｌに沿ってレセプタクルコネクタ１１の第２の収容部Ｓ２に挿入することにより、第２のプラグコネクタ３１がレセプタクルコネクタ１１に嵌め合わされる。このとき、図２２に示されるように、第２のプラグコネクタ３１のプラグコンタクト列Ｅの先端部がレセプタクルコネクタ１１の舌状部１３ｂの上に位置し、プラグコンタクト列Ｅを構成する複数のプラグコンタクト３４の接点部３４ａが、レセプタクルコネクタ１１の舌状部１３ｂの上面１３ｃに配置されたレセプタクルコンタクト列Ａを構成する複数のレセプタクルコンタクト１４の接点部１４ｂに接触し、第２のプラグコネクタ３１のプラグコンタクト列Ｅとレセプタクルコネクタ１１のレセプタクルコンタクト列Ａとの間で電気的導通がなされる。
【００４６】
また、第２のプラグコネクタ３１の第２の嵌合部分Ｆ２をレセプタクルコネクタ１１の第２の収容部Ｓ２に挿入することで、第２のプラグコネクタ３１の一対のロック部材３６のロック部３６ａが、レセプタクルコネクタ１１のレセプタクルシェル１２に形成された一対の開口部１２ｈに挿入され、レセプタクルコネクタ１１と第２のプラグコネクタ３１との嵌合状態がロックされる。なお、ロック部材３６のバネ力に抗して第２のプラグコネクタ３１の第２の嵌合部分Ｆ２をレセプタクルコネクタ１１の第２の収容部Ｓ２から引き抜くことにより、レセプタクルコネクタ１１と第２のプラグコネクタ３１との嵌合状態を解消することができる。
【００４７】
このように、実施の形態に係るレセプタクルコネクタ１１は、μＵＳＢ用のプラグコンタクト列ＣおよびμＵＳＢ以外のプラグコンタクト列Ｄを有すると共に第１の嵌合部分Ｆ１を有する第１のプラグコネクタ２１と、μＵＳＢ用のプラグコンタクト列Ｅのみを有し且つ第１のプラグコネクタ２１の第１の嵌合部分Ｆ１とは異なる形状の第２の嵌合部分Ｆ２を有する第２のプラグコネクタ３１のいずれに対しても、嵌合可能である。
【００４８】
また、レセプタクルコネクタ１１のレセプタクルコンタクト列Ａを構成する複数のレセプタクルコンタクト１４の接点部１４ｂとレセプタクルコンタクト列Ｂを構成する複数のレセプタクルコンタクト１５の接点部１５ｂが互いに反対方向を向き、第１のプラグコネクタ２１が嵌合するときには、レセプタクルコンタクト列Ａの複数の接点部１４ｂおよびレセプタクルコンタクト列Ｂの複数の接点部１５ｂの双方が第１のプラグコネクタ２１のプラグコンタクト列Ｃの複数の接点部２４ｃおよびプラグコンタクト列Ｄの複数の接点部２５ｃに接続され、第２のプラグコネクタ３１が嵌合するときには、レセプタクルコンタクト列Ａの複数の接点部１４ｂが第２のプラグコネクタ３１のプラグコンタクト列Ｅの複数の接点部３４ａに接続されるので、レセプタクルコネクタ１１の嵌合軸Ｌ方向の長さの縮小化を図ることが可能となる。
【００４９】
なお、上記の実施の形態では、第１のプラグコネクタ２１がプラグシェル２２の突起部２２ｆを用いて回路基板Ｐ２に固定されるものであったが、図２１（Ａ）に示した第２のプラグコネクタ３１のように、ケーブル３０の先端に取り付けられていてもよく、あるいは、フレキシブルプリント基板（ＦＰＣ）に実装されていてもよい。
また、第１のプラグコネクタ２１のプラグコンタクト列Ｃの各プラグコンタクト２４およびプラグコンタクト列Ｄの各プラグコンタクト２５が偏心部分を有していたが、プラグコンタクト列Ｃとプラグコンタクト列Ｄとの間に位置するプラグインシュレータ２３の肉厚を確保できる場合には、それぞれのプラグコンタクトに偏心部分を形成しなくてもよい。
【００５０】
上記の実施の形態においては、μＵＳＢ用のレセプタクルコンタクト列ＡおよびμＵＳＢ以外のレセプタクルグコンタクト列Ｂを有するレセプタクルコネクタ１１に、μＵＳＢ用のプラグコンタクト列ＣおよびμＵＳＢ以外のプラグコンタクト列Ｄを有する第１のプラグコネクタ２１と、μＵＳＢ用のプラグコンタクト列Ｅのみを有する第２のプラグコネクタ３１の一方を嵌合したが、μＵＳＢ以外のプラグコンタクト列のみを有するプラグコネクタをレセプタクルコネクタ１１に嵌合することもできる。
【００５１】
また、レセプタクルコネクタ１１が、μＵＳＢ用のレセプタクルコンタクト列ＡおよびμＵＳＢ以外のレセプタクルグコンタクト列Ｂを有していたが、μＵＳＢに限るものではない。例えば、ＵＳＢ用のレセプタクルコンタクト列とＵＳＢ以外のレセプタクルグコンタクト列を有していてもよく、また、ミニＵＳＢ用のレセプタクルコンタクト列とミニＵＳＢ以外のレセプタクルコンタクト列を有していてもよく、あるいは、その他の規格化されたデータバス用のレセプタクルコンタクト列と規格化されていないレセプタクルコンタクト列とを有していてもよい。上記の実施の形態と同様にして、規格化されたデータバス用のプラグコンタクト列および規格化されていないプラグコンタクト列とを有する第１のプラグコネクタと、規格化されたデータバス用のプラグコンタクト列のみを有する第２のプラグコネクタのいずれに対しても嵌合可能でありながら、嵌合軸方向の長さを縮小したレセプタクルコネクタを実現することができる。
【００５２】
さらに、レセプタクルコネクタが、互いに異なる規格により規格化された２つのレセプタクルコンタクト列を有し、これらの規格により規格化された２つのプラグコンタクト列を有する第１のプラグコネクタと、一方の規格により規格化された１つのプラグコンタクト列のみを有する第２のプラグコネクタとの間の接続の互換性を持たせることもできる。
【符号の説明】
【００５３】
１，９  レセプタクルコネクタ、２  シェル、３  インシュレータ、４，５  レセプタクルコンタクト列、６  プラグ収容空間、７，８  接点部、１０  表示画面、１１  レセプタクルコネクタ、１２  レセプタクルシェル、１２ａ，２２ａ  上板部、１２ｂ，２２ｂ  下板部、１２ｃ，２２ｃ  凸部、１２ｄ，２２ｄ  上段部、１２ｅ，２２ｅ  下段部、１２ｆ，１２ｇ，２２ｆ，２２ｇ  突起部、１２ｈ，２２ｈ，３２ａ  開口部、１３  レセプタクルインシュレータ、１３ａ  インシュレータ本体部、１３ｂ  舌状部、１３ｃ  上面、１３ｄ  下面、１３ｅ，１３ｆ，２３ａ，２３ｂ  溝、１４，１５  レセプタクルコンタクト、１４ａ，１５ａ，２４ａ，２５ａ，２６ｂ  保持部、１４ｂ，１５ｂ，２４ｃ，２５ｃ，３４ａ  接点部、１４ｃ，１５ｃ，２４ｄ，２５ｄ  基板実装部、２１  第１のプラグコネクタ、２２，３２  プラグシェル、２３，３３  プラグインシュレータ、２４，２５，３４  プラグコンタクト、２４ｂ，２５ｂ，２６ｃ  伸張部、２６，３６  ロック部材、２６ａ，３６ａ  ロック部、３０  ケーブル、３１  第２のプラグコネクタ、Ｐ１，Ｐ２  回路基板、Ｌ  嵌合軸、Ａ，Ｂ  レセプタクルコンタクト列、Ｓ  収容空間、Ｓ１  第１の収容部、Ｓ２  第２の収容部、Ｃ，Ｄ，Ｅ  プラグコンタクト列、Ｆ１  第１の嵌合部分、Ｆ２  第２の嵌合部分。
【図１】
2015146308.tif 000003
【図２】
2015146308.tif 000004
【図３】
2015146308.tif 000005
【図４】
2015146308.tif 000006
【図５】
2015146308.tif 000007
【図６】
2015146308.tif 000008
【図７】
2015146308.tif 000009
【図８】
2015146308.tif 000010
【図９】
2015146308.tif 000011
【図１０】
2015146308.tif 000012
【図１１】
2015146308.tif 000013
【図１２】
2015146308.tif 000014
【図１３】
2015146308.tif 000015
【図１４】
2015146308.tif 000016
【図１５】
2015146308.tif 000017
【図１６】
2015146308.tif 000018
【図１７】
2015146308.tif 000019
【図１８】
2015146308.tif 000020
【図１９】
2015146308.tif 000021
【図２０】
2015146308.tif 000022
【図２１】
2015146308.tif 000023
【図２２】
2015146308.tif 000024
【図２３】
2015146308.tif 000025
【図２４】
2015146308.tif 000026